(57)【特許請求の範囲】
【請求項１】
記録する音声信号のチャンネル数の設定を受け付ける設定部と、
前記チャンネル数の前記音声信号を選択するセレクタと、
選択された前記音声信号の記録を制御する制御部と、を備え、
前記制御部は、前記音声信号を記録するときに、
前記チャンネル数が２つに設定されている場合、第１のフォーマットにしたがい、
選択された２チャンネル分の前記音声信号に基づいて生成された音声データを、動画ファイルに含まれる一つの音声トラックに記録するように構成され、
前記チャンネル数が４つに設定されている場合、以下の（i）〜（iii）の少なくともいずれか一つに示すように構成された、撮像装置：
（i）前記制御部は、前記第１のフォーマットと異なる第２のフォーマットにしたがい、
選択された４チャンネル分の前記音声信号に基づいて生成された音声データを、動画ファイルに含まれる４つの音声トラックの各々に、１チャンネル分ずつ割り当てて記録するように構成されている；
（ii）前記制御部は、前記第１のフォーマットにしたがい、
選択された４チャンネル分の前記音声信号のうち、２チャンネル分の音声信号に基づいて生成された第１の音声データを、動画ファイルに含まれる１つの音声トラックに記録し、
また、前記第１のフォーマットと異なる第３のフォーマットにしたがい、
選択された前記４チャンネル分の前記音声信号のうち、残りの２チャンネル分の音声信号に基づいて生成された第２の音声データを、音声ファイルに記録するように構成されている；
（iii）前記制御部は、前記第１のフォーマットにしたがい、
選択された４チャンネル分の前記音声信号のうち、２チャンネル分の音声信号に基づいて生成された第３の音声データを、第１の動画ファイルに、第１の映像データと対応付けて記録し、
また、前記第１のフォーマットと異なる第４のフォーマットにしたがい、
選択された前記４チャンネル分の前記音声信号のうち、残りの２チャンネル分の音声信号に基づいて生成された第４の音声データを、第２の動画ファイルに、前記第１の映像データと異なる第２の映像データに対応付けて記録するように構成されている。
【請求項２】
記録する音声信号のチャンネル数の設定を受け付ける設定部と、
前記チャンネル数の前記音声信号を選択するセレクタと、
選択された前記音声信号の記録を制御する制御部と、を備え、
前記制御部は、前記音声信号を記録するときに、
前記チャンネル数が２つに設定されている場合、第１のフォーマットにしたがい、
選択された２チャンネル分の前記音声信号に基づいて生成された音声データを、動画ファイルに含まれる１つの音声トラックに記録するように構成され、
前記チャンネル数が４つに設定されている場合、前記第１のフォーマットにしたがい、
選択された４チャンネル分の前記音声信号のうち２チャンネル分の音声信号に基づいて生成された第１の音声データと、選択された前記４チャンネル分の前記音声信号のうち残りの２チャンネル分の音声信号に基づいて生成された第２の音声データとを、一つの動画ファイルに含まれる２つの音声トラックのそれぞれに、一つずつ記録しないように構成された、
撮像装置。
【請求項３】
前記セレクタは、選択された前記音声信号をＡＤ（アナログ・デジタル）変換するＡＤ変換部を含む、
請求項１または２に記載の撮像装置。
【請求項４】
音声を入力し第１の音声信号を出力する第１のマイクロホンと、
第２のマイクロホンから出力される第２の音声信号を入力するように構成された第１の入力端子と、
第３のマイクロホンから出力される第３の音声信号を入力するように構成された第２の入力端子と、の少なくともいずれか一つをさらに備え、
前記音声信号は、前記第１の音声信号と、前記第２の音声信号と、前記第３の音声信号の少なくともいずれか一つを含む、
請求項１または２に記載の撮像装置。
【請求項５】
前記第１のマイクロホンは、前記撮像装置の内部に配置され、
前記第１の入力端子は、外部アクセサリを接続するように構成されたホットシューである、
請求項４に記載の撮像装置。
【請求項６】
音声を入力し第１の音声信号を出力する第１のマイクロホンと、
第２のマイクロホンから出力される第２の音声信号を入力するように構成された第１の入力端子と、
第３のマイクロホンから出力される第３の音声信号を入力するように構成された第２の入力端子と、をさらに備え、
前記制御部は、前記チャンネル数が４つに設定されている場合に、前記第２のフォーマットにしたがい、選択された前記４チャンネル分の前記音声信号に基づいて生成された前記音声データを、前記動画ファイルに含まれる前記４つの音声トラックの各々に、１チャンネル分ずつ割り当てて記録するように構成され、
前記音声信号は、前記セレクタにより選択された、前記第１の音声信号及び前記第２の音声信号の双方、ならびに、前記第２の音声信号及び前記第３の音声信号の双方、のいずれかである、請求項１に記載の撮像装置。
【発明の詳細な説明】
【技術分野】
【０００１】
本開示は、音声の記録が可能な撮像装置に関する。
【背景技術】
【０００２】
特許文献１は、複数のマイクロホンを有する音声記録装置を開示する。この音声記録装置は、最大４つのチャンネル（以下、４ｃｈという）で音声を記録できる。この音声記録装置は、第１のマイクロホンと、装置本体に対する回転機構を備えた第２のマイクロホンと、第１及び第２のマイクロホンで取得した音声を複数の記録モードで記録可能な記録手段と、第２のマイクロホンの回転方向に応じて、記録モードを切り替える切替手段とを有する。この音声記録装置によれば、例えば、第２のマイクロホンを後方に向けたときに２ｃｈステレオ記録モードから４ｃｈサラウンド記録モードへ切り替えることが可能となり、記録モードの切り替えが容易になる。
【先行技術文献】
【特許文献】
【０００３】
【特許文献１】特開２００６−１３５５０３号公報
【発明の概要】
【０００４】
近年、撮像装置により撮影した動画を編集することによるコンテンツ制作の場面が増加している。動画編集の際、音声も編集されうる。
【０００５】
本開示の一態様の撮像装置は、記録する音声信号のチャンネル数の設定を受け付ける設定部と、前記チャンネル数の前記音声信号を選択するセレクタと、選択された前記音声信号の記録を制御する制御部と、を備える。
【０００６】
前記制御部は、前記音声信号を記録するときに、前記チャンネル数が２つに設定されている場合、第１のフォーマットにしたがい、選択された２チャンネル分の前記音声信号に基づいて生成された音声データを、動画ファイルに含まれる一つの音声トラックに記録するように構成されている。また、前記制御部は、前記チャンネル数が４つに設定されている場合、以下の（i）〜（iii）の少なくともいずれか一つに示すように構成されている。
【０００７】
（i）前記制御部は、前記第１のフォーマットと異なる第２のフォーマットにしたがい、選択された４チャンネル分の前記音声信号に基づいて生成された音声データを、動画ファイルに含まれる４つの音声トラックの各々に、１チャンネル分ずつ割り当てて記録するように構成されている。
【０００８】
（ii）前記制御部は、前記第１のフォーマットにしたがい、選択された４チャンネル分の前記音声信号のうち、２チャンネル分の音声信号に基づいて生成された第１の音声データを、動画ファイルに含まれる１つの音声トラックに記録するように構成されている。また、前記制御部は、前記第１のフォーマットと異なる第３のフォーマットにしたがい、選択された前記４チャンネル分の前記音声信号のうち、残りの２チャンネル分の音声信号に基づいて生成された第２の音声データを、音声ファイルに記録するように構成されている。
【０００９】
（iii）前記制御部は、前記第１のフォーマットにしたがい、選択された４チャンネル分の前記音声信号のうち、２チャンネル分の音声信号に基づいて生成された第３の音声データを、第１の動画ファイルに、第１の映像データと対応付けて記録するように構成されている。また、前記制御部は、前記第１のフォーマットと異なる第４のフォーマットにしたがい、選択された前記４チャンネル分の前記音声信号のうち、残りの２チャンネル分の音声信号に基づいて生成された第４の音声データを、第２の動画ファイルに、前記第１の映像データと異なる第２の映像データに対応付けて記録するように構成されている。
【００１０】
本開示の別の一態様の撮像装置は、記録する音声信号のチャンネル数の設定を受け付ける設定部と、前記チャンネル数の前記音声信号を選択するセレクタと、選択された前記音声信号の記録を制御する制御部と、を備える。
【００１１】
前記制御部は、前記音声信号を記録するときに、前記チャンネル数が２つに設定されている場合、第１のフォーマットにしたがい、選択された２チャンネル分の前記音声信号に基づいて生成された音声データを、動画ファイルに含まれる１つの音声トラックに記録するように構成されている。
【００１２】
前記制御部は、前記チャンネル数が４つに設定されている場合、前記第１のフォーマットにしたがい、選択された４チャンネル分の前記音声信号のうち２チャンネル分の音声信号に基づいて生成された第１の音声データと、選択された前記４チャンネル分の前記音声信号のうち残りの２チャンネル分の音声信号に基づいて生成された第２の音声データとを、一つの動画ファイルに含まれる２つの音声トラックのそれぞれに、一つずつ記録しないように構成されている。
【００１３】
本開示の撮像装置によれば、動画制作における音声編集の利便性を高めることができる。
【図面の簡単な説明】
【００１４】
【図１】本実施の形態のデジタルカメラの斜視図
【図２】本実施の形態のデジタルカメラの内部構成を示すブロック図
【図３】本実施の形態のデジタルカメラにおけるアナログ音声処理部の構成を示す図
【図４】本実施の形態の音声記録処理に関連した構成要素を示した図
【図５】本実施の形態における、収音用アクセサリがホットシューに接続されたときの音声記録に関する設定を行うための画面の例を示した図
【図６】本実施の形態のデジタルカメラにおける、収音用アクセサリがホットシューに接続されたときの音声記録処理に関するフローチャート
【図７】本実施の形態のデジタルカメラにおける２ｃｈ音声記録時のフォーマットと４ｃｈ音声記録時のフォーマットを説明した図
【図８】本実施の形態の音声信号の記録方式の一例を説明した図
【図９】本実施の形態の音声信号の記録方式の一例を説明した図
【発明を実施するための形態】
【００１５】
以下、適宜図面を参照しながら、実施の形態を詳細に説明する。但し、必要以上に詳細な説明は省略する場合がある。例えば、既によく知られた事項の詳細説明、および実質的に同一の構成に対する重複説明を省略する場合がある。これは、以下の説明が不必要に冗長になるのを避け、当業者の理解を容易にするためである。
【００１６】
なお、発明者は、当業者が本開示を十分に理解するために添付図面および以下の説明を提供するのであって、これらによって特許請求の範囲に記載の主題を限定することを意図するものではない。
【００１７】
（実施の形態１）
以下、図面を用いて、本開示に係る撮像装置の一実施の形態であるデジタルカメラの構成、および動作を説明する。以下に説明するデジタルカメラは、動画撮影が可能である。動画撮影により、動画を示す映像データと、動画と同期して記録された音声のデータ（つまり音声データ）とを含む動画ファイルが生成される。
【００１８】
［１−１．構成］
図１は、本開示に係る撮像装置の一実施の形態であるデジタルカメラの斜視図である。デジタルカメラ１００は、カメラボディ１０２と、カメラボディ１０２に装着される交換レンズ３０１とで構成される。デジタルカメラ１００は、動画を撮影可能である。動画撮影時には、動画像を記録するとともに音声も同時に記録することができる。デジタルカメラ１００は３つの音声入力系統を有する。具体的には、デジタルカメラ１００は、音声入力系統として、内蔵マイクロホン（第１のマイクロホンの一例）１１１と、外部入力端子（第２の入力端子の一例）１１２と、ホットシュー（第１の入力端子の一例）１１３と、を備える。
【００１９】
内蔵マイクロホン１１１は、カメラボディ１０２内に備えられた音声入力部である。外部入力端子１１２は、外部からの音声信号を入力する。ホットシュー１１３は、外部からの音声信号を入力する接続端子として機能する。外部入力端子１１２には外部マイクロホン（第３のマイクロホンの一例）２２０が接続される。また、ホットシュー１１３が音声入力系統として機能する場合、ホットシュー１１３には、収音用アクセサリ２００（例えば、マイクロホンアダプタ）が接続される。収音用アクセサリ２００には、外部マイクロホン（第２のマイクロホンの一例）２１０が接続される。
【００２０】
図２は、デジタルカメラ１００の内部構成を示すブロック図である。デジタルカメラ１００は、被写体を撮像して画像ファイルを生成して記録媒体に記録する。例えば、動画撮影時において、デジタルカメラ１００は映像データと音声データとが多重化された動画ファイルを生成して、記録媒体に記録する。以下、デジタルカメラ１００の構成要素毎に具体的に説明する。
【００２１】
［１−１−１．交換レンズ］
図２に示すように、交換レンズ３０１は、フォーカスレンズ３１０、補正レンズ３１８およびズームレンズ３１２を含む光学系を含む。交換レンズ３０１はさらに、レンズコントローラ３２０、レンズマウント３３０、フォーカスレンズ駆動部３１１、ズームレンズ駆動部３１３、絞り３１６、絞り駆動部３１７、操作リング３１５、ＯＩＳ(Ｏｐｔｉｃａｌ  Ｉｍａｇｅ  Ｓｔａｂｉｌｉｚｅｒ)駆動部３１９、ＤＲＡＭ（Ｄｙｎａｍｉｃ  Ｒａｎｄｏｍ  Ａｃｃｅｓｓ  Ｍｅｍｏｒｙ）３２１、およびフラッシュメモリ３２２等を備えている。
【００２２】
レンズコントローラ３２０は、交換レンズ３０１全体の動作を制御する。レンズコントローラ３２０は、フォーカスレンズ３１０、補正レンズ３１８及び絞り３１６を駆動させるように、フォーカスレンズ駆動部３１１、ＯＩＳ駆動部３１９、及び絞り駆動部３１７をそれぞれ制御することができる。また、レンズコントローラ３２０は、操作リング３１５に対するユーザの操作を受け付けて、操作に応じてズームレンズ３１２を駆動させるよう、ズームレンズ駆動部３１３を制御することができる。
【００２３】
ＯＩＳ駆動部３１９は、例えば、マグネットと平板コイルとで構成される駆動機構を備える。ＯＩＳ駆動部３１９は、交換レンズ３０１のぶれを検出するジャイロセンサ（図示せず）の検出信号に基づき駆動機構を制御して、交換レンズ３０１のぶれに応じて光学系の光軸に垂直な面内で補正レンズ３１８をシフトさせる。これにより、撮像画像中における手振れによるぶれの影響を低減する。
【００２４】
レンズコントローラ３２０は、ＤＲＡＭ３２１またはフラッシュメモリ３２２に接続されており、必要に応じてそれらのメモリに情報を書き込んだり、読み出したりすることができる。また、レンズコントローラ３２０は、レンズマウント３３０を介して、カメラボディ１０２のコントローラ１３０と通信することができる。レンズコントローラ３２０は、ハードワイヤードな電子回路で構成されてもよいし、プログラムを用いたマイクロコンピュータなどで構成されてもよい。
【００２５】
レンズマウント３３０は、カメラボディ１０２のボディマウント１４０と接続し、交換レンズ３０１およびカメラボディ１０２を機械的および電気的に接続する。交換レンズ３０１とカメラボディ１０２とが接続されると、レンズコントローラ３２０と、コントローラ１３０とは通信可能な状態となる。ボディマウント１４０は、レンズマウント３３０を介してレンズコントローラ３２０から受信した信号を、カメラボディ１０２のコントローラ１３０に送信することができる。
【００２６】
［１−１−２．カメラボディ］
カメラボディ１０２は、ＣＣＤ（Ｃｈａｒｇｅ  Ｃｏｕｐｌｅｄ  Ｄｅｖｉｃｅ）イメージセンサ１４３およびＡＦＥ（アナログ・フロント・エンド）１４４を含む。
【００２７】
ＣＣＤイメージセンサ１４３は、交換レンズ３０１を通して形成された被写体像を撮像して画像情報を生成する。なお、画像センサとして、他の種類の画像センサ（例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ）が用いられてもよい。
【００２８】
ＡＦＥ１４４は、ＣＣＤイメージセンサ１４３から読み出した画像情報に対して相関二重サンプリングによる雑音抑圧を実行する。また、ＡＦＥ１４４は、アナログゲインコントローラにより、画像情報をＡＤ（アナログ・デジタル）変換器の入力レンジ幅へ増幅する。また、ＡＦＥ１４４は、ＡＤ変換器により、画像情報のＡＤ変換を実施する。
【００２９】
カメラボディ１０２はさらに音声を入力するために、内蔵マイクロホン１１１（音声入力部の一例）と、外部入力端子１１２とを備える。
【００３０】
内蔵マイクロホン１１１は、２つのマイクロホン１１１Ｌ、１１１Ｒを含む。マイクロホン１１１Ｌ、１１１Ｒは、左右それぞれの方向から主音声を別々に収音し、２つのチャンネル分の音声信号を生成する。ここで、主音声とは、ユーザが記録対象として意図する音声である。以下、２つのチャンネルを２ｃｈという。なお、本実施の形態では、マイクロホン１１１Ｌは左からの主音声を収音し、一つのチャンネル（たとえばＬｃｈ）の音声信号を生成する。マイクロホン１１１Ｒは右からの主音声を収音し、一つのチャンネル（たとえばＲｃｈ）の音声信号を生成する。マイクロホン１１１Ｌ、１１１Ｒは、それぞれ、音声を電気信号に変換する。本実施の形態のマイクロホン１１１Ｌ、１１１Ｒから出力される電気信号は、アナログ音声信号である。マイクロホン１１１Ｌ、１１１Ｒからのアナログ音声信号は、それぞれアナログ音声処理部１１５に入力される。
【００３１】
外部入力端子１１２は、外部から２ｃｈの音声信号を入力するための端子であり、例えば、開口径が３．５ｍｍのジャックである。外部入力端子１１２には例えば外部マイクロホン２２０が接続される。
【００３２】
ホットシュー１１３は種々のアクセサリをカメラボディ１０２に接続するためのデバイスである。アクセサリには、例えば、ストロボまたは収音用アクセサリ（例えば、マイクロホンアダプタ）が含まれる。収音用アクセサリは、それに接続する収音装置（例えば、マイクロホン２１０）から音声信号を入力し、カメラボディ１０２内に伝達する。収音用アクセサリは、収音装置から入力したアナログ音声信号を増幅し、デジタル信号に変換したり、ノイズ除去のために所定の低周波領域をカットしたりする機能を有する。収音用アクセサリは、２ｃｈのデジタル音声信号を出力する。後述する説明では、ホットシュー１１３に収音用アクセサリが接続された場合のデジタルカメラ１００の音声記録機能について説明する。
【００３３】
アナログ音声処理部１１５は、内蔵マイクロホン１１１または外部入力端子１１２から入力したアナログ音声信号を増幅し、デジタル音声信号に変換する。また、アナログ音声処理部１１５は、変換したデジタル音声信号をデジタル画像・音声処理部１２０に出力する。
【００３４】
図３は、アナログ音声処理部１１５の構成を示すブロック図である。アナログ音声処理部１１５は、入力切換スイッチ４００と、アンプ４０１と、振幅検知部４０２と、ＡＤ変換器４０３とを備える。
【００３５】
アナログ音声処理部１１５において、入力切換スイッチ４００は、コントローラ１３０の制御にしたがい、音声信号の入力先を内蔵マイクロホン１１１と外部入力端子１１２のいずれかに切り換える。アンプ４０１は、入力切換スイッチ４００を介して入力したアナログ音声信号を所定のゲインで増幅して、ＡＤ変換器４０３に出力する。ＡＤ変換器４０３は、アンプ４０１で増幅されたアナログ音声信号を受信してＡＤ変換を行い、ＡＤ変換された音声信号をデジタル画像・音声処理部１２０に出力する。振幅検知部４０２は、アンプ４０１で増幅された音声信号を受けて、アナログ音声信号の振幅がＡＤ変換器４０３の入力許容レベルを超えないように、アンプ４０１のゲインをフィードバック制御する。アナログ音声処理部１１５は、アナログ回路を含む電子回路で構成される。アナログ音声処理部１１５は、１つまたは複数の半導体集積回路で構成されてもよい。
【００３６】
デジタル画像・音声処理部（制御部の一例）１２０は、ＡＦＥ１４４から出力された画像情報に対して、各種の処理を施す。また、デジタル画像・音声処理部１２０は、アナログ音声処理部１１５から入力した音声信号、及びホットシュー１１３を介して入力した音声信号の少なくとも一方に対して、各種の処理を施す。例えば、デジタル画像・音声処理部１２０は、コントローラ１３０からの指示にしたがって、画像情報に対して、ガンマ補正、ホワイトバランス補正、傷補正、および符号化処理等を行う。また、デジタル画像・音声処理部１２０は、コントローラ１３０からの指示にしたがって、音声信号に対する各種処理を行う。デジタル画像・音声処理部１２０は、ハードワイヤードな電子回路で実現されてもよいし、プログラムを実行するマイクロコンピュータなどで実現されてもよい。デジタル画像・音声処理部１２０を実現する回路は、１つまたは複数の半導体集積回路に集積されてもよい。例えば、デジタル画像・音声処理部１２０は、ＣＰＵ（Ｃｅｎｔｒａｌ  Ｐｒｏｃｅｓｓｉｎｇ  Ｕｎｉｔ）、ＦＰＧＡ（Ｆｉｅｌｄ‐Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、またはＤＳＰ（Ｄｉｇｉｔａｌ  Ｓｉｇｎａｌ  Ｐｒｏｃｅｓｓｏｒ）等で構成されてもよい。
【００３７】
表示部１９０は、デジタルカメラ１００の背面に配置される。表示部１９０は、液晶ディスプレイまたは有機ＥＬ（Ｅｌｅｃｔｒｏ  Ｌｕｍｉｎｅｓｃｅｎｃｅ）ディスプレイで構成されてもよい。表示部１９０は、デジタル画像・音声処理部１２０にて処理された画像情報に基づく画像を表示する。表示部１９０は、タッチパネルを含む。タッチパネルは、表示画像上でユーザの操作を受け付ける。
【００３８】
ビューファインダ１９１は、デジタルカメラ１００の背面上部に配置される。ビューファインダ１９１は表示部１９０と同様にデジタル画像・音声処理部１２０で処理された画像情報に基づく画像を表示する。画像情報は、表示部１９０とビューファインダ１９１の双方に同時に表示されてもよいし、いずれか一方のみに表示されてもよい。
【００３９】
コントローラ１３０（制御部の一例）は、デジタルカメラ１００全体の動作を統括制御する。コントローラ１３０は、ハードワイヤードな電子回路で実現されてもよいし、プログラムを実行するマイクロコンピュータなどで実現されてもよい。また、コントローラ１３０は、デジタル画像・音声処理部１２０などと一体的に１つの半導体チップとして実現されてもよい。例えば、コントローラ１３０は、単独で、またはデジタル画像・音声処理部１２０と一体的に、ＣＰＵ、ＦＰＧＡ、ＡＳＩＣ、ＤＳＰ等で構成されてもよい。
【００４０】
ＲＯＭ（Ｒｅａｄ  Ｏｎｌｙ  Ｍｅｍｏｒｙ）１７０は、コントローラ１３０が実行する、オートフォーカス制御（ＡＦ制御）、自動露出制御（ＡＥ制御）、ストロボの発光制御などに関するプログラムを格納している。また、ＲＯＭ１７０は、コントローラ１３０がデジタルカメラ１００全体の動作を統括制御するためのプログラムを格納している。ＲＯＭ１７０は、デジタルカメラ１００に関する各種条件および設定を記憶する。ＲＯＭ１７０は、コントローラ１３０の外部に存在している必要はない。つまり、ＲＯＭ１７０は、コントローラ１３０とは別体である必要はない。ＲＯＭ１７０は、コントローラ１３０の内部に組み込まれていてもよい。本実施の形態では、ＲＯＭ１７０は、フラッシュＲＯＭである。
【００４１】
ＲＡＭ（Ｒａｎｄｏｍ  Ａｃｃｅｓｓ  Ｍｅｍｏｒｙ）１５０は、デジタル画像・音声処理部１２０およびコントローラ１３０のワークメモリとして機能する。ＲＡＭ１５０は、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）またはフラッシュメモリなどで実現されてもよい。ＲＡＭ１５０は、画像情報および音声信号などを記録するための内部メモリとしても機能する。
【００４２】
記録媒体１６０は、内部にフラッシュメモリ等の不揮発性の記憶素子を備えたメモリデバイスである。記録媒体１６０は、デジタルカメラ１００から着脱可能である。記録媒体１６０は例えばＳＤカードのようなメモリカードである。記録媒体１６０は、コントローラ１３０の制御にしたがい、デジタル画像・音声処理部１２０で処理される映像データおよび音声のデータを、動画ファイルとして記録する。
【００４３】
操作部１８０は、デジタルカメラ１００の外装に配置される操作釦、操作ダイヤル、レバー、およびタッチパネルなどの少なくともいずれか一つを含む操作インターフェースの総称である。操作部１８０は、ユーザによる操作を受け付ける。本実施の形態では、例えば、操作部１８０は、デジタルカメラ１００の上面に設けられたレリーズ釦、電源スイッチ、およびモードダイヤルなどを含む。また、操作部１８０は、デジタルカメラ１００の背面に設けられた中央釦、および十字釦などを含む。また、操作部１８０は、表示部１９０のタッチパネルも含む。操作部１８０は、ユーザによる操作を受け付けると、コントローラ１３０に種々の動作を指示する信号を通知する。
【００４４】
［１−２．動作］
本実施の形態のデジタルカメラ１００は、動画撮影時において、映像データと同期して２ｃｈまたは４ｃｈの音声データを記録することができる。以下、デジタルカメラ１００における動画撮影時の音声記録動作を説明する。
【００４５】
図４は、デジタルカメラ１００の２ｃｈまたは４ｃｈの音声記録動作を説明するための図である。デジタルカメラ１００は、音声入力系統として、内蔵マイクロホン１１１と、外部入力端子１１２と、ホットシュー１１３とを有している。外部入力端子１１２には、外部マイクロホン２２０を接続できる。ホットシュー１１３には、２ｃｈのデジタル音声信号を出力する収音用アクセサリ２００を接続できる。収音用アクセサリ２００は、ＡＤ変換器を内蔵する。収音用アクセサリ２００は、外部マイクロホン２１０が接続されたときに、外部マイクロホン２１０から入力されたアナログ音声信号を、内蔵するＡＤ変換器でデジタル音声信号に変換して出力する。
【００４６】
アナログ音声処理部１１５は、内蔵マイクロホン１１１および外部入力端子１１２のいずれか一方から入力したアナログ音声信号（本開示の特定の音声信号の一例）を増幅し、ＡＤ変換した後、２ｃｈの音声信号として出力する。具体的には、外部入力端子１１２に外部マイクロホン２２０が接続されていない場合、アナログ音声処理部１１５は、内蔵マイクロホン１１１からの音声信号を増幅し、ＡＤ変換して２ｃｈの音声信号として出力する。一方、外部入力端子１１２に外部マイクロホン２２０が接続されている場合、アナログ音声処理部１１５は、ユーザによる設定にしたがい、内蔵マイクロホン１１１からの音声信号および外部入力端子１１２からの音声信号のいずれかを選択して入力する。そしてアナログ音声処理部１１５は、入力した音声信号を増幅し、ＡＤ変換した後、２ｃｈの音声信号として出力する。
【００４７】
デジタル画像・音声処理部１２０は、アナログ音声処理部１１５及びホットシュー１１３のいずれか一方から、２ｃｈのデジタル音声信号を入力する。または、デジタル画像・音声処理部１２０は、アナログ音声処理部１１５及びホットシュー１１３の双方から、合計４ｃｈのデジタル音声信号を入力する。デジタル画像・音声処理部１２０は、ユーザ設定にしたがい、２ｃｈおよび４ｃｈのデジタル音声信号を選択し、出力する。具体的には、ホットシュー１１３に収音用アクセサリ２００が接続されているときに、ユーザにより、２ｃｈの音声を記録するという設定がなされている場合、デジタル画像・音声処理部１２０は、ホットシュー１１３から入力した音声信号に所定の処理を施した後、記録媒体１６０に２ｃｈのデジタル音声信号として音声データを記録する。一方、ホットシュー１１３に収音用アクセサリ２００が接続されているときに、ユーザにより、４ｃｈの音声を記録するという設定がなされている場合、デジタル画像・音声処理部１２０は、アナログ音声処理部１１５から入力した音声信号と、ホットシュー１１３から入力した音声信号に所定の処理を施した後、記録媒体１６０に４ｃｈのデジタル音声信号として音声データを記録する。このとき、アナログ音声処理部１１５は、ユーザの設定にしたがい、内蔵マイクロホン１１１および外部入力端子１１２のいずれか一方からの音声信号を選択し、アナログ音声処理部１１５でＡＤ変換した後に、デジタル画像・音声処理部１２０に出力する。
【００４８】
ユーザは、収音用アクセサリ２００がホットシュー１１３に接続されたときに、２ｃｈの音声信号を記録するか、４ｃｈの音声信号を記録するかを、予め設定できる。また、本実施の形態のデジタルカメラ１００は、収音用アクセサリ２００がホットシュー１１３に接続されたときに、４ｃｈの音声信号を記録する場合、内蔵マイクロホン１１１からの音声信号とホットシュー１１３からの音声信号の組み合わせ、および、外部入力端子１１２からの音声信号とホットシュー１１３からの音声信号の組み合わせ、のいずれかを用いて音声記録を行う。そのため、ユーザは、収音用アクセサリ２００がホットシュー１１３に接続されたときに、４ｃｈの音声信号を記録する場合に、いずれの入力系統からの音声を用いて記録するかについても、予め設定できる。
【００４９】
図５は、記録する音声信号のチャンネル数と、音声信号の入力系統を設定するための設定画面の例を示した例である。設定画面は、表示部１９０に表示される。図５に示すように、設定項目１９４は、収音用アクセサリ２００がホットシュー１１３に接続されたときに、記録する音声信号のチャンネル数を２ｃｈとするか、４ｃｈするかの選択を受け付ける。図５では、収音用アクセサリ２００がホットシュー１１３に接続されたときに、４ｃｈの音声信号が記録されるように設定されている例を示している。また、設定項目１９６は、収音用アクセサリ２００がホットシュー１１３に接続されて、かつ４ｃｈの音声信号が記録される場合に、音声信号の入力系統の選択を受け付ける。図５では、記録される４ｃｈの音声信号が、内蔵マイクロホン１１１とホットシュー１１３からの音声信号に設定されている例を示している。この設定画面により設定された内容は、設定情報としてカメラボディ１０２内のメモリ（図示せず）に保存される。
【００５０】
図６は、デジタルカメラ１００の動画撮影時における、収音用アクセサリ２００がホットシュー１１３に接続されたときの音声記録処理に関するフローチャートである。
【００５１】
収音用アクセサリ２００がホットシュー１１３に接続されると（Ｓ１１でＹＥＳ）、コントローラ１３０は、設定情報を参照し、収音用アクセサリ２００がホットシュー１１３に接続されたときの音声記録のチャンネル数を確認する（Ｓ１２）。収音用アクセサリ２００がホットシュー１１３に接続されたときに、２ｃｈの音声信号を記録するように設定されている場合（Ｓ１２でＮＯ）、コントローラ１３０は、収音用アクセサリ２００から入力した音声信号に基づき、２ｃｈの音声データを記録媒体１６０に記録するように、デジタル画像・音声処理部１２０を制御する（Ｓ１６）。
【００５２】
一方、収音用アクセサリ２００がホットシュー１１３に接続されたときに、４ｃｈの音声信号を記録するように設定されている場合（Ｓ１２でＹＥＳ）、コントローラ１３０は、設定情報を参照し、音声信号の入力系統として、内蔵マイクロホン１１１と収音用アクセサリ２００の組み合わせが設定されているか否かを判断する（Ｓ１３）。
【００５３】
４ｃｈの音声信号が記録される場合であって、音声信号の入力系統として、内蔵マイクロホン１１１と収音用アクセサリ２００の組み合わせが設定されている場合（Ｓ１３でＹＥＳ）、コントローラ１３０は、内蔵マイクロホン１１１からの音声信号と、収音用アクセサリ２００からの音声信号（すなわち、ホットシュー１１３からの音声信号）に基づき、４ｃｈの音声データを生成し、記録媒体１６０に記録するようにデジタル画像・音声処理部１２０を制御する（Ｓ１４）。この場合、内蔵マイクロホン１１１からの２ｃｈの音声信号と、ホットシュー１１３に接続された収音用アクセサリ２００からの２ｃｈの音声信号とに基づいて、４ｃｈの音声データが生成される。
【００５４】
４ｃｈ記録時の音声入力系統として、内蔵マイクロホン１１１と収音用アクセサリ２００の組み合わせが設定されていない場合（Ｓ１３でＮＯ）すなわち、外部入力端子１１２と収音用アクセサリ２００の組み合わせが設定されている場合、コントローラ１３０は、外部入力端子１１２とホットシュー１１３からの音声信号に基づき、４ｃｈの音声データを生成し、記録媒体１６０に記録するように、デジタル画像・音声処理部１２０を制御する（Ｓ１５）。この場合、外部入力端子１１２に接続された外部マイクロホンからの２ｃｈの音声信号と、ホットシュー１１３に接続された収音用アクセサリ２００からの２ｃｈの音声信号とに基づいて、４ｃｈの音声データが生成される。
【００５５】
以上のようにして記録される音声データは、音声信号と同期して記録された画像信号の映像データとともに、動画ファイル内に記録される。ここで、音声信号と画像信号が同期した状態では、動画ファイルの再生時に、画像と同じタイミングで再生されるべき音声が、画像よりも前に再生されないことが必要である。
【００５６】
以上のように、本実施の形態のデジタルカメラ１００では、動画撮影時において、ホットシュー１１３に収音用アクセサリ２００が接続されている場合、ユーザにより設定された設定情報にしたがい、４ｃｈの音声信号を記録できる。このようにして記録された音声信号のデータ（つまり音声データ）を含む動画ファイルを用いて、動画は編集される。このとき、４ｃｈ分の音声信号を利用できるため、音声編集の自由度が高まる。また、画像信号と同期が取られた音声信号を利用できるため、動画編集時における画像と音声の同期作業が不要になり編集作業の負担が軽減される。
【００５７】
図７は、本実施の形態のデジタルカメラ１００による２ｃｈまたは４ｃｈの音声信号の記録方式を説明した図である。図７の（Ａ）は、２ｃｈの音声信号を記録する場合の、第１のフォーマットを説明した図である。図７の（Ｂ）は、４ｃｈの音声信号を記録する場合の第２のフォーマットを説明した図である。
【００５８】
デジタルカメラ１００による動画撮影によって生成される動画ファイルには、１つの映像トラックと少なくとも１つの音声トラックとが多重化されている。２ｃｈの音声信号を記録する場合、図７の（Ａ）に示すように、コントローラ１３０は、第１チャンネル（Ｌｃｈ）の音声信号と第２チャンネル（Ｒｃｈ）の音声信号との２つの音声信号に基づいて、音声データを生成するように、デジタル画像・音声処理部１２０を制御する。また、コントローラ１３０は、第１のフォーマットにしたがい、１つの音声トラックを用意する。そしてコントローラ１３０は、その１つの音声トラックに、第１チャンネル（Ｌｃｈ）の音声信号と第２チャンネル（Ｒｃｈ）の音声信号とを合成した音声データを記録するように、デジタル画像・音声処理部１２０を制御する。そしてコントローラ１３０は、音声データを動画ファイルに多重化して記録するように、デジタル画像・音声処理部１２０を制御する。
【００５９】
一方、４ｃｈの音声信号を記録する場合、図７の（Ｂ）に示すように、コントローラ１３０は、第２のフォーマットにしたがい、４つの音声トラックを用意する。そしてコントローラ１３０は、各音声トラックに１つのチャンネルの音声信号を記録するように、デジタル画像・音声処理部１２０を制御する。これにより、第１〜第４チャンネルの合計４ｃｈ分の音声信号を記録するようにしている。このような記録方法は新規な記録方法である。
【００６０】
一般的にテレビまたはレコーダは、図７の（Ａ）に示すような第１のフォーマット（すなわち、１つの音声トラックに２ｃｈの音声信号が記録されるフォーマット）にしたがい、音声データが記録された動画ファイルの再生を行うように構成されている。よって、本実施の形態のデジタルカメラ１００による２ｃｈの音声データが記録された動画ファイルは、一般的なテレビまたはレコーダで再生される。
【００６１】
一方で、本実施の形態では、４ｃｈ分の音声記録において、第２のフォーマットが適用される。本実施の形態の第２のフォーマットでは、４トラックのそれぞれに、１ｃｈずつ音声データが記録される。一般のテレビまたはレコーダは、このような第２のフォーマットには対応していない。このため、第２のフォーマットで４ｃｈ分の音声を記録した動画ファイルは、一般的なテレビまたはレコーダにおいて再生されない。よって、一般的なテレビまたはレコーダにおいて、本デジタルカメラ１００によって４ｃｈの音声データを記録した動画ファイルが誤って再生されて、ユーザに違和感を与えるような音声が出力されてしまうことを抑制できる。
【００６２】
［１−３．効果、等］
本実施形態のデジタルカメラ１００（撮像装置の一例）は、音声を入力し第１の音声信号を出力する内蔵マイクロホン１１１（第１のマイクロホンの一例）と、外部マイクロホン２１０（第２のマイクロホンの一例）から出力される第２の音声信号を入力するように構成されたホットシュー１１３（第１の入力端子の一例）と、外部マイクロホン２２０（第３のマイクロホンの一例）から出力される第３の音声信号を入力するように構成された外部入力端子１１２（第２の入力端子の一例）と、記録する音声信号のチャンネル数の設定を受け付ける操作部１８０（設定部の一例）と、操作部１８０の設定に基づき音声信号の記録を制御するコントローラ１３０とデジタル画像・音声処理部１２０（制御部の一例）と、を備える。
【００６３】
コントローラ１３０とデジタル画像・音声処理部１２０は、チャンネル数が２つに設定されている場合、第１の音声信号、第２の音声信号、および第３の音声信号のいずれか一つを選択するように構成されている。またコントローラ１３０とデジタル画像・音声処理部１２０は、第１のフォーマットにしたがい、選択した第１の音声信号、第２の音声信号および第３の音声信号のいずれか一つに基づいて音声データを生成し、動画ファイルの音声トラックとして用意された１つのトラックに、生成された音声データを記録するように構成されている。
【００６４】
コントローラ１３０とデジタル画像・音声処理部１２０は、チャンネル数が４つに設定されている場合、第１のフォーマットと異なる第２のフォーマットにしたがい、音声信号の処理を実行するように構成されている。第２のフォーマットにしたがえば、コントローラ１３０とデジタル画像・音声処理部１２０は、第１の音声信号および第３の音声信号から択一的に選択された特定の音声信号、ならびに第２の音声信号の双方に基づいて４チャンネル分の音声データを生成するように構成されている。また、コントローラ１３０とデジタル画像・音声処理部１２０は、動画ファイルの音声トラックとして用意された４つのトラックの各々に、生成した４チャンネル分の音声データを、１チャンネル分ずつ割り当てて記録するように構成されている。
【００６５】
本実施の形態のデジタルカメラ１００により記録された音声信号を含む動画ファイルを用いて動画編集を行うことで、４ｃｈ分の音声信号を利用できるため、音声編集の自由度が高まる。また、画像信号と同期が取られた音声信号を利用できるため、動画編集時における画像と音声の同期作業が不要になり、編集作業の負担が軽減される。さらには、４ｃｈの音声記録時には、第２のフォーマットにより音声データを記録するため、第２のフォーマットに対応していない電子機器において、動画ファイルの誤再生を抑制できる。
【００６６】
つまり、第１のフォーマットに基づいて４ｃｈの音声信号が記録される場合、２つの音声トラックに、２ｃｈずつ音声データが記録される。この場合、第２のフォーマットに適用していないが第１のフォーマットに適用したテレビまたはレコーダ等で、生成した動画ファイルが再生される可能性がある。しかし、動画ファイルが再生されても、４ｃｈの音声信号は適正に再生されない可能性がある。つまり、ユーザは、２ｃｈか４ｃｈかを正しく認識しない状態で、動画ファイルを視聴してしまう場合があり、利便性が低下する。本実施の形態では、第２のフォーマットに適用していない電子機器において、動画ファイルが再生されるのを抑制する。これにより、ユーザは、再生されない動画ファイルが、４ｃｈの音声を含む動画ファイルであることに気づくことができる。その結果、利便性が向上する。
【００６７】
デジタルカメラ１００は、操作部１８０の設定に基づいて、第１の音声信号及び第３の音声信号のいずれかを選択してＡＤ変換するＡＤ変換器１１５（ＡＤ変換部の一例）をさらに備えてもよい。この構成により、２つの外部マイクロホン２１０、２２０による４ｃｈの音声信号を記録できる。
【００６８】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【００６９】
上記の実施の形態では、４ｃｈの音声信号を記録する場合に、第２のフォーマットにしたがって音声データを生成し、映像ファイルに記録した。しかし、４ｃｈの音声信号を記録する場合に、音声データを生成し、記録する方式は、第２のフォーマットに限定されない。
【００７０】
すなわち、記録する音声信号のチャンネル数が４つに設定されている場合、コントローラ１３０とデジタル画像・音声処理部１２０（制御部の一例）は、第１の音声信号および第３の音声信号から択一的に選択された特定の音声信号に基づいて生成された第１の音声データ、ならびに第２の音声信号に基づいて生成された第２の音声データを、動画ファイルの音声トラックとして用意された２つのトラックの各々に、一つずつ記録しないように構成されていればよい。
【００７１】
特定の音声信号とは、たとえば、内蔵マイクロホン１１１および外部マイクロホン２２０のいずれかから出力される音声信号である。いずれの音声信号を用いるかを、ユーザは設定できてもよい。特定の音声信号は、２ｃｈ有する。第２の音声信号とは、たとえば外部マイクロホン２１０から出力される音声信号である。第２の音声信号も、２ｃｈ有する。
【００７２】
この構成により、それぞれ２ｃｈの音声データが記録された複数の音声トラックが、一つの映像トラックと対応付けられて、動画ファイルに含まれるのを抑制できる。したがって、デジタルカメラ１００が採用する記録方式に対応していない電子機器であって、第１のフォーマットに対応している電子機器において、動画ファイルの誤再生を抑制できる。
【００７３】
デジタルカメラ１００が採用する記録方式とは、実施の形態以外に、下記の記録方式（Ａ）、（Ｂ）が挙げられる。デジタルカメラ１００は、たとえば、実施の形態で挙げた記録方式と、下記の記録方式（Ａ）および記録方式（Ｂ）の少なくともいずれか一つの記録方式が適用されていてもよい。
【００７４】
（Ａ）記録方式（Ａ）では、記録する音声信号のチャンネル数が４つに設定されている場合、コントローラ１３０とデジタル画像・音声処理部１２０（制御部の一例）は、第１のフォーマットにしたがい、第１の音声信号および第３の音声信号のうち択一的に選択された特定の音声信号、ならびに第２の音声信号の一方に基づいて第１の音声データを生成し、動画ファイルの音声トラックとして用意された１つのトラックに、第１の音声データを記録するように構成されている。
【００７５】
また、コントローラ１３０とデジタル画像・音声処理部１２０（制御部の一例）は、第１のフォーマットと異なる第３のフォーマットにしたがい、前述の特定の音声信号および第２の音声信号の他方に基づいて第２の音声データを生成し、音声ファイルに第２の音声データを記録するように構成されている。
【００７６】
ここで、図８は、４ｃｈの音声信号の記録方式の一例を説明した図である。コントローラ１３０およびデジタル画像・音声処理部１２０は、２つの音声トラック（たとえば第１の音声トラックおよび第２の音声トラック）と、１つの映像トラック（たとえば第１の映像トラック）とを用意する。第１の音声トラックと第１の映像トラックとは、一つの動画ファイルに含まれる。第２の音声トラックは、音声ファイルに含まれる。
【００７７】
コントローラ１３０は、第１のフォーマットにしたがい、第１の音声トラックに、たとえば２ｃｈの第１の音声信号（つまり、特定の音声信号の一方）の音声データ（第１の音声データ）を記録するように、デジタル画像・音声処理部１２０を制御する。
【００７８】
そしてコントローラ１３０は、第１の映像トラックに、第１の音声トラックの音声データと同期するように撮影された動画のデータ（つまり映像データＡ）を記録するように、デジタル画像・音声処理部１２０を制御する。
【００７９】
以上のようにして、コントローラ１３０およびデジタル画像・音声処理部１２０は、第１の音声トラックと第１の映像トラックとを含む動画ファイルを記録媒体に記録する。コントローラ１３０は、動画ファイルのファイル名を、たとえば「１０００１０．ｍｐ４」とすることができる。
【００８０】
一方、コントローラ１３０は、第３のフォーマットにしたがい、第２の音声トラックに、たとえば２ｃｈの第２の音声信号の音声データ（第２の音声データ）を記録するように、デジタル画像・音声処理部１２０を制御する。
【００８１】
以上のようにして、コントローラ１３０およびデジタル画像・音声処理部１２０は、第２の音声トラックを含む音声ファイルを、記録媒体に記録する。コントローラ１３０は、音声ファイルのファイル名を、たとえば「１０００１０．ｗａｖ」とすることができる。
【００８２】
これによりユーザは、２ｃｈの音声の含まれる動画、および音声のみを再生することになる。したがって、ユーザが、音声が２ｃｈか４ｃｈを正しく認識しない状態で動画を視聴することを、抑制できる。これにより、ユーザの利便性が向上する。また、ユーザは、再生する前に、音声のみのファイルか、２ｃｈの音声の含まれる動画のファイルかを、を気づきやすくなる。
【００８３】
また、コントローラ１３０は、たとえば動画ファイルと音声ファイルの、拡張子以外のファイル名を共通に設定できる。これによりユーザは、両者のファイルを容易に対応付けることができる。つまり、ユーザは、音声ファイルの音声データを、動画ファイルの映像データと同期しやすくなる。したがって、ユーザが音声を編集する際に、４ｃｈ分の音声信号を用いて編集できる。なお、このファイル名は一例であり、動画ファイルと音声ファイルとが対応づけられれば、他のファイル名でもよい。
【００８４】
（Ｂ）記録方式（Ｂ）では、記録する音声信号のチャンネル数が４つに設定されている場合、コントローラ１３０とデジタル画像・音声処理部１２０（制御部の一例）は、第１のフォーマットにしたがい、第１の音声信号および第３の音声信号から択一的に選択された特定の音声信号、ならびに第２の音声信号の一方に基づいて第３の音声データを生成し、第１の動画ファイルに、第３の音声データを第１の映像データと対応付けて記録するように構成されている。
【００８５】
また、記録する音声信号のチャンネル数が４つに設定されている場合、コントローラ１３０とデジタル画像・音声処理部１２０（制御部の一例）は、第１のフォーマットと異なる第４のフォーマットにしたがい、前述の特定の音声信号および第２の音声信号の他方に基づいて第４の音声データを生成し、第２の動画ファイルに、第４の音声データを第１の映像データと異なる第２の映像データに対応付けて記録するように構成されている。
【００８６】
なお、特定の音声信号とは、たとえば、内蔵マイクロホン１１１および外部マイクロホン２２０のいずれかから出力される音声信号である。いずれの音声信号を用いるかを、ユーザは設定できてもよい。特定の音声信号は、２ｃｈ有する。第２の音声信号とは、たとえば外部マイクロホン２１０から出力される音声信号である。第２の音声信号も、２ｃｈ有する。
【００８７】
ここで、図９は、４ｃｈの音声信号の記録方式の一例を説明した図である。コントローラ１３０およびデジタル画像・音声処理部１２０は、２つの音声トラック（たとえば第１の音声トラックおよび第２の音声トラック）と、２つの映像トラック（たとえば第１の映像トラックおよび第２の映像トラック）とを用意する。第１の音声トラックと第１の映像トラックとは、第１の動画ファイルに含まれる。第２の音声トラックと第２の映像トラックとは、第２の動画ファイルに含まれる。
【００８８】
コントローラ１３０は、第１のフォーマットにしたがい、第１の音声トラックに、たとえば２ｃｈの第１の音声信号（つまり、特定の音声信号の一方）の音声データ（第３の音声データ）を記録するように、デジタル画像・音声処理部１２０を制御する。
【００８９】
そしてコントローラ１３０は、第１の映像トラックに、第１の音声トラックの音声データと同期するように撮影された動画のデータ（第１の映像データ）を記録するように、デジタル画像・音声処理部１２０を制御する。第１の映像データとは、たとえば、第１の音声信号が記録された際に撮影された動画のデータでもよい。
【００９０】
以上のようにして、コントローラ１３０およびデジタル画像・音声処理部１２０は、第１の音声トラックと第１の映像トラックとを含む第１の動画ファイルを記録媒体に記録する。コントローラ１３０は、第１の動画ファイルのファイル名を、たとえば「１０００１０．ｍｐ４」とすることができる。
【００９１】
一方、コントローラ１３０は、第４のフォーマットにしたがい、第２の音声トラックに、たとえば２ｃｈの第２の音声信号の音声データ（第４の音声データ）を記録するように、デジタル画像・音声処理部１２０を制御する。
【００９２】
そしてコントローラ１３０は、第２の映像トラックに、「Ｎｕｌｌ」の映像データを割り当てて記録するように、デジタル画像・音声処理部１２０を制御する。
【００９３】
以上のようにして、コントローラ１３０およびデジタル画像・音声処理部１２０は、第２の音声トラックと第２の映像トラックとを含む第２の動画ファイルを記録媒体に記録する。コントローラ１３０は、第２の動画ファイルのファイル名を、たとえば「１０００１Ａ．ｍｐ４」とすることができる。
【００９４】
これによりユーザは、２ｃｈの音声の含まれる動画、および映像のない動画のいずれかのみを再生することになる。したがって、ユーザが、音声が２ｃｈか４ｃｈを正しく認識しない状態で動画を視聴することを、抑制できる。これにより、ユーザの利便性が向上する。
【００９５】
また、コントローラ１３０は、たとえば第１の動画ファイルと第２の動画ファイルのファイル名の前半を共通に設定できる。これによりユーザは、両者のファイルを用意に対応付けることができる。つまり、第２の動画ファイルの音声データ（第４の音声データ）を、第１の動画ファイルの映像データ（第１の映像データ）と同期できる。したがって、ユーザが音声を編集する際に、４ｃｈ分の音声信号を用いて編集できる。なお、このファイル名は一例であり、第１の動画ファイルと第２の動画ファイルとが対応付けられれば、他のファイル名でもよい。また、ユーザは、ファイル名を参照して、映像を含む動画ファイルか、含まないファイルかを、識別し易くなる。
【００９６】
また、第２の動画ファイルの映像データは、「Ｎｕｌｌ」でなくてもよく、音声とともに撮影された動画のデータとは異なることが、ユーザに明示できるデータであればよい。たとえば、映像データは、文字により、「主映像無し」などが表示された映像データに置き換えられてもよい。
【００９７】
上記の実施の形態では、収音用アクセサリ２００がＡＤ変換器を内蔵していたが、収音用アクセサリ２００はＡＤ変換器を備えていなくてもよい。この場合、デジタルカメラ１００がＡＤ変換器を備えていればよい。
【００９８】
上記の実施の形態では、収音用アクセサリ２００に接続されるものは、外部マイクロホン２１０の出力であるとしたが、これに限定されない。例えば、収音用アクセサリ２００に、マイクロホンアンプの出力が接続されても良い。
【００９９】
上記の実施の形態では、撮像装置は、内蔵マイクロホン１１１を有するが、撮像装置は内蔵マイクロホン１１１を有していなくてもよい。つまり、撮像装置（たとえばデジタルカメラ１００）は、記録する音声信号のチャンネル数の設定を受け付ける設定部（たとえば操作部１８０）と、チャンネル数の音声信号を選択するセレクタ（たとえばアナログ音声処理部１１５およびデジタル画像・音声処理部１２０）と、選択された音声信号の記録を制御する制御部（たとえばコントローラ１３０）と、を備えていればよい。制御部は、音声信号を記録するときに、チャンネル数が２つに設定されている場合、第１のフォーマットにしたがい、選択された２チャンネル分の音声信号に基づいて生成された音声データを、動画ファイルに含まれる一つの音声トラックに記録するように構成されている。また、制御部は、チャンネル数が４つに設定されている場合、以下の（i）〜（iii）の少なくともいずれか一つに示すように構成されている。
【０１００】
（i）制御部は、第１のフォーマットと異なる第２のフォーマットにしたがい、選択された４チャンネル分の音声信号に基づいて生成された音声データを、動画ファイルに含まれる４つの音声トラックの各々に、１チャンネル分ずつ割り当てて記録するように構成されている。
【０１０１】
（ii）制御部は、第１のフォーマットにしたがい、選択された４チャンネル分の音声信号のうち、２チャンネル分の音声信号に基づいて生成された第１の音声データを、動画ファイルに含まれる１つの音声トラックに記録するように構成されている。
【０１０２】
また、制御部は、第１のフォーマットと異なる第３のフォーマットにしたがい、選択された４チャンネル分の音声信号のうち、残りの２チャンネル分の音声信号に基づいて生成された第２の音声データを、音声ファイルに記録するように構成されている。
【０１０３】
（iii）制御部は、第１のフォーマットにしたがい、選択された４チャンネル分の音声信号のうち、２チャンネル分の音声信号に基づいて生成された第３の音声データを、第１の動画ファイルに、第１の映像データと対応付けて記録するように構成されている。また、制御部は、第１のフォーマットと異なる第４のフォーマットにしたがい、選択された４チャンネル分の音声信号のうち、残りの２チャンネル分の音声信号に基づいて生成された第４の音声データを、第２の動画ファイルに、第１の映像データと異なる第２の映像データに対応付けて記録するように構成されている。
【０１０４】
つまり、上記実施の形態では、制御部は、音声信号を記録するときに、チャンネル数が２つに設定されている場合、第１のフォーマットにしたがい、選択された２チャンネル分の音声信号に基づいて生成された音声データを、動画ファイルに含まれる１つの音声トラックに記録するように構成されている。
【０１０５】
また、制御部は、チャンネル数が４つに設定されている場合、第１のフォーマットにしたがい、選択された４チャンネル分の音声信号のうち２チャンネル分の音声信号に基づいて生成された第１の音声データと、選択された４チャンネル分の音声信号のうち残りの２チャンネル分の音声信号に基づいて生成された第２の音声データとを、一つの動画ファイルに含まれる２つの音声トラックのそれぞれに、一つずつ記録しないように構成されている。
【０１０６】
上記の実施の形態では、撮像装置としてのデジタルカメラは、交換レンズ式であったが、レンズとボディが一体型のものでもよい。
【０１０７】
また、本開示の撮像装置としてデジタルカメラを説明した。しかし、本開示の撮像装置は、デジタルカメラに限定されず、音声データを含む動画ファイルを生成可能な他の電子機器であってもよい。例えば、撮像装置はビデオカメラまたはスマートフォンであってもよい。
【０１０８】
以上のように、本開示における技術の例示として、実施の形態を説明した。そのために、添付図面および詳細な説明を提供した。
【０１０９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１０】
また、上述の実施の形態は、本開示における技術を例示するためのものであるから、特許請求の範囲またはその均等の範囲において種々の変更、置き換え、付加、省略などを行うことができる。
【産業上の利用可能性】
【０１１１】
本開示の撮像装置は、画像と同期して音声記録が可能な種々の電子機器（ビデオカメラ、スマートフォン等）に適用できる。
【符号の説明】
【０１１２】
１００    デジタルカメラ（撮像装置）
１０２    カメラボディ
１１１    内蔵マイクロホン（第１のマイクロホン）
１１１Ｌ，１１１Ｒ    マイクロホン
１１２    外部入力端子（第２の入力端子）
１１３    ホットシュー（第１の入力端子）
１１５    アナログ音声処理部（セレクタ）
１２０    デジタル画像・音声処理部（制御部、セレクタ）
１３０    コントローラ（制御部）
１４３    ＣＣＤイメージセンサ
１６０    記録媒体
１８０    操作部（設定部）
１９０    表示部
２００    収音用アクセサリ
２１０    外部マイクロホン（第２のマイクロホン）
２２０    外部マイクロホン（第３のマイクロホン）
３０１    交換レンズ
【図１】
0006603897.tif 000002
【図２】
0006603897.tif 000003
【図３】
0006603897.tif 000004
【図４】
0006603897.tif 000005
【図５】
0006603897.tif 000006
【図６】
0006603897.tif 000007
【図７】
0006603897.tif 000008
【図８】
0006603897.tif 000009
【図９】
0006603897.tif 000010